(57)【要約】      （修正有）【課題】小物を載置する機能を備えた遊技用補助具を提供する。【解決手段】遊技用補助具Ｐは、鉛直方向に立設された遊戯盤面１と、この遊戯盤面１の下方であって、遊戯者の側に突出するように設けられた突出部２と、この突出部２に回動自在に取り付けられた小物を載置する小物載置補助台３とを備える。【選択図】図１
2014030463.tif 000002
【特許請求の範囲】
【請求項１】
鉛直方向に立設された遊戯盤面と、
この遊戯盤面の下方であって、遊戯者の側に突出するように設けられた突出部と、
この突出部に回動自在に取り付けられた小物を載置する小物載置補助台と、
を備えていることを特徴とする遊技用補助具。
【請求項２】
小物載置補助台は、突出部の端部に取り付けられ、
前記小物載置補助台は、上面が小物載置面で、この小物載置面の反対側が底面であり、
前記小物載置補助台の回動は、前記小物載置面が突出部の上面と対向する位置から、前記小物載置面が前記突出部の上面と平行となる位置に至るものである
ことを特徴とする請求項１記載の遊技用補助具。
【請求項３】
小物載置補助台は、突出部の端部に取り付けられ、
前記小物載置補助台は、上面が小物載置面で、この小物載置面の反対側が底面であり、
前記小物載置補助台の回動は、前記小物載置面が突出部の上面に対して傾斜する位置から、前記小物載置面が前記突出部の上面と平行となる位置に至る
ことを特徴とする請求項１記載の遊技用補助具。
【請求項４】
小物載置面の底面に表示体を着脱自在に取り付け、
前記表示体は、宣伝又は遊技情報を表示するものである
ことを特徴とする請求項１〜３のいずれかに記載の遊技用補助具。
【発明の詳細な説明】
【技術分野】
【０００１】
本発明は、遊技用補助具に係り、特に、小物を載置する機能を備えた遊技用補助具に関する。
【背景技術】
【０００２】
パチンコ等の遊戯盤面の下方には、遊戯者の側に突出するように設けられたテーブル（突出部）（例えば、特許文献１参照）。
遊戯者は、上記テーブルに、携帯電話、財布、煙草、ライター、化粧道具、筆記具等の小物を載置することができる。
【先行技術文献】
【特許文献】
【０００３】
【特許文献１】実用新案登録第３０７９５９３号公報  図１参照
【発明の概要】
【発明が解決しようとする課題】
【０００４】
しかしながら、遊技球を収納する容器、通称ドル箱を上記テーブルに載せるため、テーブルの使用スペースを小さくしてしまい、上記小物を載置することができないという問題点があった。
また、最近、ドル箱を使用しないパーソナルシステムが導入され、上記テーブルそのものが小さくなりつつあり、上記小物を載置することができないという問題点が生じた。
【０００５】
本発明は、上記の問題点を除去するようにした遊技用補助具を提供することを目的とする。
【課題を解決するための手段】
【０００６】
請求項１記載の遊技用補助具は、鉛直方向に立設された遊戯盤面と、この遊戯盤面の下方であって、遊戯者の側に突出するように設けられた突出部と、この突出部に回動自在に取り付けられた小物を載置する小物載置補助台とを備えているものである。
【０００７】
また、請求項２記載の遊技用補助具は、請求項１記載の遊技用補助具において、小物載置補助台は、突出部の端部に取り付けられ、前記小物載置補助台は、上面が小物載置面で、この小物載置面の反対側が底面であり、前記小物載置補助台の回動は、前記小物載置面が突出部の上面と対向する位置から、前記小物載置面が前記突出部の上面と平行となる位置に至るものである。
【０００８】
また、請求項３記載の遊技用補助具は、請求項１記載の遊技用補助具において、小物載置補助台は、突出部の端部に取り付けられ、前記小物載置補助台は、上面が小物載置面で、この小物載置面の反対側が底面であり、前記小物載置補助台の回動は、前記小物載置面が突出部の上面に対して傾斜する位置から、前記小物載置面が前記突出部の上面と平行となる位置に至るものである。
【０００９】
また、請求項４記載の遊技用補助具は、請求項１〜３のいずれかに記載の遊技用補助具において、小物載置面の底面に表示体を着脱自在に取り付け、前記表示体は、宣伝又は遊技情報を表示するものである
【発明の効果】
【００１０】
請求項１記載の遊技用補助具によれば、遊技用補助具を使用する場合には、小物載置補助台を遊戯者側へ回動させて、突出部の上面と小物載置補助台の上面とが略水平となるようにして、小物載置補助台の上面に小物を載置することができ、また、遊技用補助具を使用しないときには、小物載置補助台の上面を突出部に近づくように回動させて、小物載置補助台が突出部より飛びでる量を軽減して、小物載置補助台が邪魔にならないようにすることができる。
【００１１】
また、請求項２記載の遊技用補助具によれば、上述した請求項１記載の発明の効果に加え、小物載置補助台の回動は、前記小物載置面が突出部の上面と対向する位置から、前記小物載置面が前記突出部の上面と平行となる位置に至る範囲とすることにより、遊技用補助具を使用しないとき、小物載置面と突出部の上面と対向する位置とし、つまり、小物載置補助台の先端が遊戯盤面に当たらないようにすることができる。
【００１２】
小物載置面が突出部の上面と対向する位置とすることができる程度に突出部の上面の奥行き寸法があれば良いが、奥行き寸法がない場合、小物載置補助台の先端が遊戯盤面等に当たる不具合が生じるが、請求項３記載の遊技用補助具によれば、上述した請求項１記載の発明の効果に加え、小物載置補助台の回動を、前記小物載置面が突出部の上面に対して傾斜する位置とすることにより、小物載置補助台の先端が遊戯盤面等に当たる不具合を防ぐことができる。
【００１３】
また、請求項４記載の遊技用補助具によれば、上述した請求項１〜３記載の発明の効果に加え、小物載置面の底面に表示体を着脱自在に取り付け、前記表示体は、宣伝又は遊技情報を表示するものであるため、遊技用補助具を使用しないとき、小物載置補助台の上面を突出部に近づくように回動させて、遊技前の遊技者に小物載置面の底面に設けた表示体を見せて、宣伝又は遊技情報を知らせることができる。
【図面の簡単な説明】
【００１４】
【図１】図１は、本発明の一実施例の遊技用補助具が使用されない状態を示す概略的斜視図である。
【図２】図２は、図１の概略的一部断面図である。
【図３】図３は、図２の３−３線による概略的断面図である。
【図４】図４は、図１の遊戯者の側に突出するように設けられた突出部（テーブル）に遊技用補助具の取り付け状態を示す概略的斜視図である。
【図５】図５は、図４の５−５線による概略的断面図である。
【図６】図６は、図５の６−６線による概略的断面図である。
【図７】図７は、図３のカバーを取り外して示す概略的斜視図である。
【図８】図８は、図７の８−８線による概略的断面図である。
【図９】図９は、図８の９−９線による概略的断面図である。
【図１０】図１０は、図３のカバーの概略的斜視図である。
【図１１】図１１は、図１０の１１−１１線による概略的断面図である。
【図１２】図１２は、図１の遊技用補助具に表示体を取り付ける状態を示す概略的分解断面図である。
【図１３】図１３は、図１２の表示体が取り付けられた状態を示す概略的断面図である。
【図１４】図１４は、図１の遊技用補助具の回動状態と使用状態を示す概略的断面図である。
【図１５】図１５は、図１の遊戯具と異なる突出部（テーブル）に取り付けた遊技用補助具の使用状態の概略的断面図である。
【図１６】図１６は、図１５の遊技用補助具の使用しない状態の概略的断面図である。
【発明を実施するための形態】
【００１５】
本発明の一実施例の遊技用補助具を図面（図１〜図１４）を参照して説明する。
図１に示すＰは遊技用補助具で、遊技用補助具Ｐは、小物Ｓ（例えば、携帯電話、財布、煙草、ライター、化粧道具、筆記具等）を載置するものである。
【００１６】
また、図１に示す１はパチンコ機やスロットルマシン等の遊戯盤面で、遊戯盤面１は、鉛直方向に立設されている（図１参照）。２は突出部（テーブル）で、突出部（テーブル）２は、遊戯盤面１の下方であって、遊戯者の側に突出するように設けられている。
【００１７】
また、図１に示す３は小物載置補助台で、小物載置補助台３は、突出部２に回動自在に取り付けられた小物Ｓを載置するもので、概略的に、支持部３１と、該支持部３１に支持され回動する回動体３２とから構成されている。
【００１８】
支持部３１は、支持部本体３１１、該支持部本体３１１より立設された２つの立設部材３１２、３１３、立設部材３１２に設けられた孔３１２ａ、該孔３１２ａの外周に設けられた複数の凹部（図４では、図示されていないが、後述する凹部３１３ｂと同様のものである。）、立設部材３１３に設けられた孔３１３ａ、該孔３１３ａの外周に設けられた複数の凹部３１３ｂを備えている。
支持部３１は、図４に示すビス１０、１０により突出部（テーブル）２に取り付けられる。
【００１９】
小物載置補助台３の回動体３２は、上面が小物載置面３２ａで、この小物載置面３２ａの反対側が底面３２ｂであり、小物載置面３２ａの底面３２ｂに表示体２０を着脱自在に取り付けている。なお、表示体２０は、宣伝又は遊技情報を表示するものである。底面３２ｂは、例えば、透明なアクリルで形成されている。
また、回動体３２は、図７及び図８に示すように、四隅にそれぞれ脚部３２１、３２２、３２３、３２４を有し、
脚部３２１には、孔３１２ａに嵌合する軸部３２１ａ、凹部３１２ｂに係止する凸部３２１ｂを有する。
脚部３２４には、孔３１３ａに嵌合する軸部（図７では、図示されていないが、軸部３２１ａと同様のものである。）、凹部３１３ｂに係止する凸部（図７では、図示されていないが、凸部３２１ｂと同様のものである。）を有する。
【００２０】
従って、回動体３２を手で回動すれば、脚部３２１の凸部３２１ｂが凹部３１２ｂに、脚部３２４の凸部３２４ｂが凹部３１３ｂに、それぞれ係止するため、小物載置面３２ａが突出部２の上面２ａと対向する位置から、小物載置面３２ａが突出部２の上面２ａと平行となる位置に至る範囲の適宜の位置で回動体３２が停止できるように保持している。
【００２１】
従って、上述した図１〜図１４記載の遊技用補助具Ｐによれば、遊技用補助具Ｐを使用する場合には、小物載置補助台Ｐを遊戯者側へ回動させて、突出部２の上面２ａと小物載置補助台３の上面３２ａとが略水平となるようにして、小物載置補助台３の上面３２ａに小物Ｓを載置することができ、また、遊技用補助具Ｐを使用しないときには、小物載置補助台３の上面３２ａを突出部２に近づくように回動させて、小物載置補助台３が突出部２より飛びでる量を軽減して、小物載置補助台３が邪魔にならないようにすることができる。
【００２２】
上述した図１〜図１４記載の遊技用補助具Ｐのように小物載置面３２ａが突出部２の上面２ａと対向する位置とすることができる程度に突出部２の上面２ａの奥行き寸法があれば良いが、奥行き寸法がない場合（例えば、『ドル箱』を使用しないパーソナルシステムの場合、突出部２の上面２ａの奥行き寸法が小さくなる傾向にある。）、上述の実施例では、対応することができない。
かかる場合に適した実施例について、図１５及び図１６を参照して説明する。
【００２３】
小物載置補助台３は、上述の実施例と同様、突出部２の端部に取り付けられ、小物載置補助台３は、上面２ａが小物載置面３２ａで、この小物載置面３２ａの反対側が底面３２ｂとなっている。
そして、小物載置補助台３の回動は、小物載置面３２ａが突出部２の上面２ａに対して傾斜する位置（図１６）から、小物載置面３２ａが突出部２の上面２ａと平行となる位置（図１５）に至るまでとなっている。
なお、回動体３２の回動は、上述の実施例と同様、脚部３２１の凸部３２１ｂが凹部３１２ｂに、脚部３２４の凸部３２４ｂが凹部３１３ｂに、それぞれ係止するため、小物載置面３２ａを図１６に示すように、突出部２の上面２ａに対して傾斜する位置に保持することができる。
【００２４】
従って、遊技用補助具Ｐによれば、小物載置補助台３の回動を、小物載置面３２ａが突出部２の上面２ａに対して傾斜する位置とすることにより、小物載置補助台３の先端が遊戯盤面等に当たる不具合を防ぐことができる。
【符号の説明】
【００２５】
Ｐ      遊技用補助具
１      遊戯盤面
２      突出部
３      小物載置補助台
【図１】
2014030463.tif 000003
【図２】
2014030463.tif 000004
【図３】
2014030463.tif 000005
【図４】
2014030463.tif 000006
【図５】
2014030463.tif 000007
【図６】
2014030463.tif 000008
【図７】
2014030463.tif 000009
【図８】
2014030463.tif 000010
【図９】
2014030463.tif 000011
【図１０】
2014030463.tif 000012
【図１１】
2014030463.tif 000013
【図１２】
2014030463.tif 000014
【図１３】
2014030463.tif 000015
【図１４】
2014030463.tif 000016
【図１５】
2014030463.tif 000017
【図１６】
2014030463.tif 000018